(57)【特許請求の範囲】
【請求項１】
排泄訓練用パンツのクロッチ部分の内側に、吸収体を装着して排泄訓練を行う排泄訓練用パンツにおいて
上記クロッチ部分に、吸収体の形状を適正に保持するための開口部が形成され、
前記開口部は、上開口縁部及び下開口縁部を有し、着用前の状態では、前記上開口縁部と前記下開口縁部が重なり合い、又は突き合わせ状態になることで閉じており、
着用後においては、前記クロッチ部分が使用者の股を閉じる力によって押され、前記開口部が開き、この開口部から上記吸収体の中央部が外側に突出されることにより、前記吸収体の形状が立体的な状態に保形される構成となっていることを特徴とする、排泄訓練用パンツ。
【請求項２】
上記吸収体に尿などの漏れを防止する立体ギャザーが形成されていることを特徴とする請求項１に記載の排泄訓練用パンツ。
【請求項３】
前記開口部が、開閉部材としてのホックにより形成される構成となっていることを特徴とする請求項１又は請求項２に記載の排泄訓練用パンツ。
【請求項４】
排泄訓練用パンツの構成素材が、伸縮性を有する素材であることを特徴とする請求項１乃至請求項３のいずれかに記載の排泄訓練用パンツ。
【請求項５】
上記吸収体の保持手段が上記排泄訓練用パンツに設けられていることを特徴とする請求項１乃至請求項４のいずれかに記載の排泄訓練用パンツ。
【請求項６】
上記保持手段が折り目を形成してなり、且つ立体的に構成されるタックで成ることを特徴とする請求項５に記載の排泄訓練用パンツ。
【発明の詳細な説明】
【０００１】
【発明の属する技術分野】
本発明は、吸収体、例えばおむつ等が取れるように幼児を排泄訓練するためのパンツに係り、特に吸収体の装着構造を改良した排泄訓練用パンツに関するものである。
【０００２】
【従来の技術】
近年、幼児のおむつが早く取れるように、おむつカバーから普通のパンツに移行させるための排泄訓練用パンツが注目されており、例えば「トレーニングパンツ」などと称されている。
【０００３】
図８は、従来の排泄訓練用パンツの着用前の状態を示す概略図である。
図８において、排泄訓練用パンツ１は、綿織物等の布で作製され、その股ぐり部２，３間に位置するクロッチ部分４の内側に、吸収体、例えば紙製のおむつ５を装着して着用するように成っている。
【０００４】
このおむつ５は、その外面の粘着テープ７をパンツ１の内面に貼り付けて装着するように成っている。そして、おむつ５の内面の両側には、その長手方向に沿って、尿などの洩れを防止するための立体ギャザー６が起立するように形成されている。
【０００５】
【発明が解決しようとする課題】
ところで、従来の排泄訓練用パンツ１は、伸縮性のない布により作製されていたので、おむつ５のフィット性が悪くて、おむつ５がずれ易く、尿などの洩れが生じるという問題があった。
【０００６】
また、パンツ１におむつ５を当てて幼児に着用させた場合、図９及び図１０に示すように、おむつ５の中央部が股を閉じる力に押されて内側に盛り上がり、その盛り上がり高さが両側の立体ギャザー６よりも高くなって、尿などの洩れが生じるという問題があった。
【０００７】
さらに、幼児がおむつに大便をしてしまった場合には、図１１に示すように、パンツ１を膝までずり下ろしてからでないと、おむつ５を取り出せなかったので、おむつ５を取り出す途中に大便がこぼれたり、脚に付いたりするという問題があった。
【０００８】
そこで本発明は、上記課題を解消するためになされたものであって、吸収体のフィット性を向上させると共に、吸収体の形状を適正に保持して、尿などの洩れを防止することができ、汚れた吸収体の取り出しが容易な排泄訓練用パンツを提供することを目的としている。
【０００９】
【課題を解決するための手段】
前記目的は、排泄訓練用パンツのクロッチ部分の内側に、吸収体を装着して排泄訓練を行う排泄訓練用パンツにおいて、上記クロッチ部分に、吸収体の形状を適正に保持するための開口部が形成され、前記開口部は、上開口縁部及び下開口縁部を有し、着用前の状態では、前記上開口縁部と前記下開口縁部が重なり合い、又は突き合わせ状態になることで閉じており、着用後においては、前記クロッチ部分が使用者の股を閉じる力によって押され、前記開口部が開き、この開口部から上記吸収体の中央部が外側に突出されることにより、前記吸収体の形状が立体的な状態に保形される構成となっていることを特徴とする排泄訓練用パンツにより、達成される。
前記構成によれば、上記クロッチ部分に、吸収体の形状を適正に保持するための開口部が形成され、この開口部から上記吸収体の中央部が外側に突出可能な構成となっているので、吸収体の形状が立体的な状態に保形される。
すなわち、股を閉じる力が吸収体に加わっても、吸収体の中央部は内側に盛り上がらず、吸収体の形状を適正な状態に保形することができる。
【００１０】
好ましくは、上記吸収体に尿などの漏れを防止する立体ギャザーが形成されていることを特徴とする排泄訓練用パンツにより、達成される。
前記構成によれば、上記吸収体に立体ギャザーが形成されているので、吸収体が立体的な状態に保形されると、吸収体の立体ギャザーをしっかり起立状態に保たせることができ、尿などの漏れを防止することができる。
【００１１】
また、好ましくは、前記開口部が、開閉部材としてのホックにより形成される構成となっていることを特徴とする排泄訓練用パンツにより、達成される。
前記構成によれば、前記開口部が、開閉部材としてのホックにより形成される構成となっている場合は、この開口部から吸収体を容易に取り出すことができる。
すなわち、幼児が吸収体に大便をした場合でも、この吸収体を容易に取り出すことができる。
【００１２】
また、好ましくは、排泄訓練用パンツの構成素材が、伸縮性を有する素材であることを特徴とする排泄訓練用パンツにより、達成される。
前記構成によれば、パンツの構成素材が、伸縮性を有する素材であるので、吸収体のフィット性を向上させることができ、吸収体が押さえられて、ずれることがなく、尿などの漏れを確実に防止することができる。
【００１３】
また、好ましくは、上記吸収体の保持手段が上記排泄訓練用パンツに設けられていることを特徴とする排泄訓練用パンツにより達成される。
前記構成によれば、上記吸収体の保持手段が上記パンツに設けられているので、排泄訓練用パンツに吸収体がより適正に装着される。
【００１４】
また、好ましくは、上記保持手段が折り目を形成してなり、且つ立体的に構成されるタックで成ることを特徴とする排泄訓練用パンツにより、達成される。
前記構成によれば、上記保持手段が折り目を形成してなり、且つ立体的に構成されるタックで成るので、吸収体を排泄訓練用パンツに装着する際に、これらタックの折り目が、この吸収体を包み込むように変形する。このタックの変形により、吸収体は排泄訓練用パンツにより適正に装着され、容易にパンツ内でずれることなく、尿などの洩れを確実に防止することができる。
【００１５】
【発明の実施の形態】
以下、本発明の好適な実施の形態を添付図面に基づいて詳細に説明する。
尚、以下に述べる実施の形態は、本発明の好適な形態であるから、技術的に好ましい種々の限定が付されているが、本発明の範囲は、以下の説明において特に本発明を限定する旨の記載がない限り、これらの態様に限られるものではない。
【００１６】
図１は、本発明の排泄訓練用パンツの第１の実施形態を示しており、（ａ）はその表面を示す平面図、（ｂ）はその裏面を示す背面図、（ｃ）は斜め下方から視た斜視図である。
図１において、本実施形態の排泄訓練用パンツ１１は、全体的には通常の幼児用パンツと同一形状を呈しており、その構成素材にはニット素材、或いはゴム製の縦糸を織り込んだ素材等の伸縮性を有する素材が採用されている。
【００１７】
なお、排泄訓練用パンツ１１の腰周り部１２及び股ぐり部１３，１４には、帯状のゴム等を配設して、他の部分よりも伸縮性を持たせることが好ましい。
【００１８】
また、図２（ａ）に示すように、排泄訓練用パンツ１１の股ぐり部１３，１４間に位置するクロッチ部分１５の内側には、尿などを受けるための吸収体であるおむつ１６が装着される。このおむつ１６の長手方向の両端部の外面には、粘着テープ１７が取り付けられており、この粘着テープ１７をパンツ１の内面に貼り付けて、排泄訓練用パンツ１１内に装着するように成っている。そして、おむつ１６の内面の両側には、その長手方向に沿って、尿などの洩れを防止するための立体ギャザー１８が起立するように形成されている。
【００１９】
上述したように、本実施形態の排泄訓練用パンツ１１は、伸縮性を有する素材で作製されているので、おむつ１６のフィット性が向上し、おむつ１６を押さえて、ずらさず、尿などの洩れが防止される。また、この排泄訓練用パンツ１１は、広いサイズに対応することができ、通気性が良く、幼児の動きをも妨げない。
【００２０】
さらに、排泄訓練用パンツ１１のクロッチ部分１５には、図１（ｃ）に示すように、おむつ１６の形状を適正に保持するための開口部１９が形成されている。すなわち、図２（ａ）に示したように、この開口部１９から上記おむつ１６の中央部を外側に突出させることにより、おむつ１６の形状を適正な状態に保形するものである。
【００２１】
この開口部１９は、横開き開口部として形成され、図２（ｂ）及び図３に示す着用前の状態においては、上開口縁部１９ａが下開口縁部１９ｂに重なり合って閉じている。
本実施形態にあっては、横開き開口部１９の上開口縁部１９ａが下開口縁部１９ｂに重なり合うように形成したが、これに限るものではなく、下開口縁部１９ｂが上開口縁部１９ａに重なり合うように形成してもよく、又、上開口縁部１９ａと下開口縁部１９ｂとを突き合わせ状態に形成してもよい。
【００２２】
本実施形態の排泄訓練用パンツ１１の着用後は、図４に示すように、クロッチ部分１５が股を閉じる力によって押される。しかし、本実施形態の排泄訓練用パンツ１１は、股を閉じる力によって押されても、図２（ｃ）及び図５に示すように、クラッチ部分１５に形成した開口部１９が開き、この開口部１９から上記おむつ１６の中央部を外側に突出させることにより、おむつ１６の形状が立体的な状態に保形される。
【００２３】
したがって、おむつ１６の立体ギャザー１８をしっかり起立状態に保つことができ、クロッチ部分１５にゆとりができる。また、開口部１９は幼児の体の大きさに合わせて開き、股ぐり部１３，１４に設けたゴムがおむつ１６の両側端部を固定することになる。
【００２４】
また、幼児がおむつ１６に大便をしてしまった場合には、図６に示すように、排泄訓練用パンツ１１を太股まで下ろすことなく、クロッチ部分１５の開口部１９から上記おむつ１６を抜き取ることができ、おむつ１６から大便がこぼれたり、脚に付いたりする危険性がなく、手を汚さずに取り替えることができる。
【００２５】
かくして、本実施形態によれば、排泄訓練用パンツ１１のクロッチ部分１５に形成した開口部１９から、このクロッチ部分１５の内側に装着したおむつ１６の中央部を外側に突出させて保形するようにしたので、おむつ１６に股を閉じる力が加わっても、おむつ１６は立体的に適正な形状に保持され、その中央部は内側に盛り上がらない。
したがって、おむつ１６の内面の両側に形成された立体ギャザー１８が起立状態に保持され、尿などの洩れを防止することができる。
【００２６】
また、排泄訓練用パンツ１１を伸縮性を有する素材で作製したので、おむつ１６のフィット性を向上させることができ、おむつ１６が押さえられて、ずれることがなく、尿などの洩れを確実に防止することができる。
【００２７】
図７は本発明の第２の実施の形態を示している。図７において本実施の形態の排泄訓練用パンツ２１は、上述の第１の実施の形態の排泄訓練用パンツ１１と同じく、全体的には通常の幼児用パンツと同一形状をしており、その構成素材にはニット素材、或いはゴム製の横糸を織り込んだ素材等の伸縮性を有する素材が採用されている。
また、排泄訓練用パンツ２１の腰周り部２２及び股ぐり部２３，２４には、帯状のゴム等を配設して、他の部分よりも伸縮性を持たせることが好ましい。
【００２８】
しかし、本実施の形態の排泄訓練用パンツ２１は、第１の実施に形態の排泄訓練用パンツ１１と異なり、おむつの保持手段としてのタック２５，２５が設けられている。このタック２５，２５は折り目を形成してなり、且つ立体的に構成されている。このため、おむつを排泄訓練用パンツ２１に装着する際に、これらタック２５，２５の折り目がこのおむつにより開き、且つこのおむつを包み込むように変形する。
このタック２５，２５の変形により、おむつは排泄訓練用パンツ２１により適正に装着され、容易にパンツ２１内でずれることがなく、尿などの洩れを確実に防止することができる。
【００２９】
また、本実施の形態の排泄訓練用パンツ２１は、第１の実施に形態の排泄訓練用パンツ１１と異なり、開口部２９の開閉部材としてのホック２６，２６を有している。このホック２６，２６は開口部２９を容易に開閉するためのもので，例えば、凹凸ホック、ホックテープ、面ファスナー等が用いられる。
このホック２６，２６が設けられているため、幼児がおむつに大便をした場合で、このおむつを容易に取り出すことができる。すなわち、排泄訓練用パンツ２１を太股まで下ろすことなく、開口部２９から上記おむつを取り出す場合、このホック２６，２６を外して開状態にすることができ、このようにすることで、開口部２９を開放状態とすることができる。
一方、このホック２６，２６を閉状態にすれば、おむつの中央部を外側に突出させて保持できる適当な大きさの開口部２９が形成され、上記おむつが適正に装着され、容易にパンツ２１内でずれることがなく、尿などの洩れを確実に防止することができる。
【００３０】
なお、本発明は、上記実施形態には限定されない。
上述した実施形態では、排泄訓練用パンツ１１，２１のクロッチ部分１５に横開き開口部１９，２９を形成しているが、これに限るものではなく、縦開き開口部として形成することも考えられる。
【００３１】
また、排泄訓練用パンツ１１，２１のクロッチ部分１５に形成した開口部１９，２９を排泄確認用の窓として使用することもできる。この場合には、おむつ１６が尿などを吸収した際に、色変化を示すように形成することが好ましい。
【００３２】
【発明の効果】
以上述べたように、本発明によれば、吸収体のフィット性を向上させると共に、吸収体の形状を適正に保持して、尿などの洩れを防止することができ、汚れた吸収体の取り出しが容易な排泄訓練用パンツを提供することができる。
【図面の簡単な説明】
【図１】本発明に係る排泄訓練用パンツの第１の実施形態であり、（ａ）はその表面を示す平面図、（ｂ）はその裏面を示す背面図、（ｃ）は斜め下方から視た概略斜視図である。
【図２】排泄訓練用パンツの第１の実施形態であり、（ａ）はおむつを装着して着用した状態を示す概略斜視図、（ｂ）は着用前のクロッチ部を示す概略図、（ｃ）は着用後のクロッチ部を示す概略図である。
【図３】第１の実施形態の排泄訓練用パンツの着用前の状態を示す概略斜視図である。
【図４】第１の実施形態の排泄訓練用パンツの着用後の状態を示す概略斜視図である。
【図５】第１の実施形態の排泄訓練用パンツを着用した後のおむつの形状を示す概略図である。
【図６】第１の実施形態の排泄訓練用パンツの取り替え状況を示す概略図である。
【図７】第２の実施形態の排泄訓練用パンツの状態を示す概略斜視図である。
【図８】従来の排泄訓練用パンツの着用前の状態を示す概略斜視図である。
【図９】従来の排泄訓練用パンツの着用後の状態を示す概略斜視図である。
【図１０】従来の排泄訓練用パンツを着用した後のおむつの形状を示す概略図である。
【図１１】従来の排泄訓練用パンツの取り替え状況を示す概略図である。
【符号の説明】
１１          排泄訓練用パンツ
１２          腰周り部
１３，１４    股ぐり部
１５          クロッチ部
１６          おむつ
１７          粘着テープ
１８          立体ギャザー
１９          開口部
１９ａ        上開口縁部
１９ｂ        下開口縁部
【図１】
0003923573.tif 000002
【図２】
0003923573.tif 000003
【図３】
0003923573.tif 000004
【図４】
0003923573.tif 000005
【図５】
0003923573.tif 000006
【図６】
0003923573.tif 000007
【図７】
0003923573.tif 000008
【図８】
0003923573.tif 000009
【図９】
0003923573.tif 000010
【図１０】
0003923573.tif 000011
【図１１】
0003923573.tif 000012